【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
潜像が形成される潜像担持体と、
現像剤固形分と不揮発性の液体キャリアとを有する液体現像剤を貯留する貯留部、軸及び弾性層を有して前記潜像を現像する現像ローラ、及び前記現像ローラの前記軸を貫通させる長孔状の断面の現像ローラ支持部を有し、揺動支点を中心に揺動する現像ユニットと、を備え、
前記現像ローラの前記軸は前記現像ローラ支持部をスライドすることを特徴とする画像形成装置。
【請求項２】
前記現像ローラの前記軸に直交する断面を見たときに、
前記現像ローラの前記軸は、前記現像ユニット揺動支点と前記軸とを結ぶ仮想線に対して交差する方向にスライドする請求項１に記載の画像形成装置。
【請求項３】
前記現像ローラの前記軸を、前記軸がスライドする方向で前記潜像担持体へ付勢する軸付勢手段を有する請求項１または２に記載の画像形成装置。
【請求項４】
前記現像ユニットを揺動支点を中心に揺動させる揺動バネを有し、
前記揺動バネの付勢力により前記現像ローラを前記潜像担持体に押圧させる請求項１乃至３のいずれか1項に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、キャリア液中にトナーを分散させた液体現像剤を用いた画像形成装置に関する。
【手続補正４】
【補正対象書類名】明細書
【補正対象項目名】０００５
【補正方法】変更
【補正の内容】
【０００５】
本発明は、前記課題を解決するために、現像剤担持体の永久歪み、画像の濃度ムラの発生、又は、不安定な膜厚等を低減できる画像形成装置を提供することを目的とする。
【手続補正５】
【補正対象書類名】明細書
【補正対象項目名】０００６
【補正方法】変更
【補正の内容】
【０００６】
本発明の画像形成装置は、潜像が形成される潜像担持体と、現像剤固形分と不揮発性の液体キャリアとを有する液体現像剤を貯留する貯留部、軸及び弾性層を有して前記潜像を現像する現像ローラ、及び前記現像ローラの前記軸を貫通させる長孔状の断面の現像ローラ支持部を有し、揺動支点を中心に揺動する現像ユニットと、を備え、前記現像ローラの前記軸は前記現像ローラ支持部をスライドするので、簡単な構造で、現像ユニットを揺動すると共に現像剤担持体のスライドを実現でき、各部材の配置の自由度が増す。
【手続補正６】
【補正対象書類名】明細書
【補正対象項目名】０００７
【補正方法】変更
【補正の内容】
【０００７】
また、前記現像ローラの前記軸に直交する断面を見たときに、前記現像ローラの前記軸は、前記現像ユニット揺動支点と前記軸とを結ぶ仮想線に対して交差する方向にスライドするので、現像ユニットの揺動に対して現像剤担持体のスライド方向の自由度が増え、各部材の配置の自由度が増す。
【手続補正７】
【補正対象書類名】明細書
【補正対象項目名】０００８
【補正方法】変更
【補正の内容】
【０００８】
また、前記現像ローラの前記軸を、前記軸がスライドする方向で前記潜像担持体へ付勢する軸付勢手段を有するので、現像剤担持体と潜像担持体との当接圧力を低減させることが可能となる。
【手続補正８】
【補正対象書類名】明細書
【補正対象項目名】０００９
【補正方法】変更
【補正の内容】
【０００９】
また、前記現像ユニットを揺動支点を中心に揺動させる揺動バネを有し、前記揺動バネの付勢力により前記現像ローラを前記潜像担持体に押圧させるので、現像剤担持体と潜像担持体との当接圧力を低減させることが可能となる。
【手続補正９】
【補正対象書類名】明細書
【補正対象項目名】００１０
【補正方法】削除
【補正の内容】
【手続補正１０】
【補正対象書類名】明細書
【補正対象項目名】００５４
【補正方法】変更
【補正の内容】
【００５４】
さらに、現像ユニット３０Ｙには、ローラ部２０ｂＹの軸２０ａＹを貫通させる現像ローラ支持部としての長孔部３０ｃＹと、ローラ部２０ｂＹが感光体１０Ｙと当接する方向へ軸２０ａＹを付勢する軸付勢手段としての軸付勢バネ３０ｄＹと、を有する。ここで、軸付勢バネ３０ｄＹは、揺動バネ３０ｂＹよりも弱い力で設定される。
【手続補正１１】
【補正対象書類名】明細書
【補正対象項目名】００５６
【補正方法】変更
【補正の内容】
【００５６】
なお、感光体１０Ｙは、揺動支点３０ａＹと軸２０ａＹを結ぶ仮想線に対して、現像ローラクリーニングブレード２１Ｙ及び現像剤供給ローラ３２Ｙと反対側に配置されており、軸付勢バネ３０ｄＹは、現像ローラクリーニングブレード２１Ｙ及び現像剤供給ローラ３２Ｙの配置された側から感光体１０Ｙ側へ軸２０ａＹを付勢している。
【手続補正１２】
【補正対象書類名】明細書
【補正対象項目名】００５８
【補正方法】変更
【補正の内容】
【００５８】
次に、非画像形成時等の待機状態では、図７に示すように、揺動バネ３０ｂＹの付勢力を弱める。すると、現像ユニット３０Ｙが、揺動支点３０ａＹを中心として紙面に対して反時計方向へ揺動する。この時、現像ローラ２０Ｙも揺動するが、軸付勢バネ３０ｄＹにより、軸２０ａＹが押圧され長孔部３０ｃＹをスライド移動し、ローラ部２０ｂＹは、感光体１０Ｙと当接したままの状態で残る。したがって、現像ローラ２０Ｙの軸２０ａＹに直交する断面を見たときに、現像ローラ２０Ｙの軸２０ａＹは、現像ユニット３０Ｙの揺動支点３０ａＹと軸２０ａＹとを結ぶ仮想線に対して交差する方向にスライドする。ただし、現像ローラ２０Ｙの感光体１０Ｙに対する当接圧力は、画像形成時と比較して弱くなる。なお、感光体クリーニングローラ１６Ｙ及び感光体クリーニングブレード１８Ｙは、当接したままでよい。
【手続補正１３】
【補正対象書類名】明細書
【補正対象項目名】００６１
【補正方法】変更
【補正の内容】
【００６１】
このように、本実施形態の画像形成装置は、潜像が形成される感光体１０Ｙと、現像剤固形分と不揮発性の液体キャリアとを有する液体現像剤を貯留する貯留部、軸２０ａＹ及び弾性層を有して潜像を現像する現像ローラ２０Ｙ、及び現像ローラ２０Ｙの軸２０ａＹを貫通させる長孔状の断面の現像ローラ支持部３０ｃＹを有し、揺動支点３０ａＹを中心に揺動する現像ユニット３０Ｙと、を備え、現像ローラ２０Ｙの軸２０ａＹは現像ローラ支持部３０ｃＹをスライドするので、簡単な構造で、現像ユニット３０Ｙを揺動すると共に現像ローラ２０Ｙのスライドを実現でき、各部材の配置の自由度が増す。
【手続補正１４】
【補正対象書類名】明細書
【補正対象項目名】００６２
【補正方法】変更
【補正の内容】
【００６２】
また、現像ローラ２０Ｙの軸２０ａＹに直交する断面を見たときに、現像ローラ２０Ｙの軸２０ａＹは、現像ユニット３０Ｙの揺動支点３０ａＹと軸２０ａＹとを結ぶ仮想線に対して交差する方向にスライドするので、現像ユニット３０Ｙの揺動に対して現像ローラ２０Ｙのスライド方向の自由度が増え、各部材の配置の自由度が増す。
【手続補正１５】
【補正対象書類名】明細書
【補正対象項目名】００６３
【補正方法】変更
【補正の内容】
【００６３】
また、現像ローラ２０Ｙの軸２０ａＹを、軸２０ａＹがスライドする方向で感光体１０Ｙへ付勢する軸付勢バネ３０ｄＹを有するので、現像ローラ２０Ｙと感光体１０Ｙとの当接圧力を低減させることが可能となる。
【手続補正１６】
【補正対象書類名】明細書
【補正対象項目名】００６４
【補正方法】変更
【補正の内容】
【００６４】
また、前記現像ユニット３０Ｙを揺動支点３０ａＹを中心に揺動させる揺動バネ３０ｂＹを有し、揺動バネ３０ｂＹの付勢力により現像ローラ２０Ｙを感光体１０Ｙに押圧させるので、現像ローラ２０Ｙと感光体１０Ｙとの当接圧力を低減させることが可能となる。
【手続補正１７】
【補正対象書類名】明細書
【補正対象項目名】００６５
【補正方法】削除
【補正の内容】